(57)【要約】    【課題】  電話やＦＡＸ等を発信する前に、発信先を容易に確認することができ、更に、確認対象は個人に関係のある電話番号のみを利用し、また、個人毎にカスタマイズも可能な通信装置を提供する。    【解決手段】  少なくとも１つの電話番号を保持する電話番号保持部１０４と、ユーザーが電話番号を入力する入力処理部１０１と、電話番号保持部１０４により保持する電話番号の中に入力処理部１０１により入力された電話番号が存在するか否かを検索する検索部１０３と、検索部１０３の検索結果を出力する出力部１０６とを備えた。【選択図】      図１
2005123718.tif 000002
【特許請求の範囲】
【請求項１】
少なくとも１つの電話番号を保持する電話番号保持工程と、
電話番号を入力する電話番号入力工程と、
前記電話番号保持工程により保持する電話番号の中に前記電話番号入力工程により入力された電話番号が存在するか否かを検索する電話番号検索工程と、
前記電話番号検索工程の検索結果を出力する検索結果出力工程と
を備えたことを特徴とする通信方法。
【請求項２】
発信処理を行う前に前記電話番号検索工程により電話番号の検索を行い、その検索結果を前記検索結果出力工程により出力することを特徴とする請求項１に記載の通信方法。
【請求項３】
前記電話番号検索工程は、入力途中の電話番号を用いて前記電話番号保持工程により保持される電話番号リストとの部分マッチを行うことを特徴とする請求項１に記載の通信方法。
【請求項４】
前記電話番号検索工程は、前記部分マッチの結果、該当する電話番号が存在するか否かを結果として返すことを特徴とする請求項３に記載の通信方法。
【請求項５】
前記電話番号検索工程は、その検索の結果、該当する電話番号が存在する場合に、その番号に対応する名前が登録されている場合は、その名前を検索結果として返すことを特徴とする請求項１に記載の通信方法。
【請求項６】
前記電話番号検索工程は、その検索の結果、該当する電話番号が存在しない場合に、存在しない旨を検索結果として返すことを特徴とする請求項１に記載の通信方法。
【請求項７】
前記電話番号保持工程は、電話番号に対応する名前も同時に保持できることを特徴とする請求項１に記載の通信方法。
【請求項８】
前記検索結果出力工程は、その検索結果として、該当する番号に対応する名前が得られた場合に、その名前をユーザーに出力することを特徴とする請求項１に記載の通信方法。
【請求項９】
前記検索結果出力工程は、その検索結果として、該当する番号が存在しなかった場合に、その旨をユーザーに出力することを特徴とする請求項１に記載の通信方法。
【請求項１０】
前記検索結果出力工程は、その検索結果と共に、発信操作を継続するか否かをユーザーに確認するためのメッセージを出力することを特徴とする請求項１に記載の通信方法。
【請求項１１】
前記検索結果出力工程による確認メッセージに対するユーザーの入力を受理する確認入力工程を備えたことを特徴とする請求項１に記載の通信方法。
【請求項１２】
前記電話番号検索工程は、市外局番や携帯電話、またはＰＨＳ（パーソナル・ハンディフォン・システム）の識別番号等を除いて、または付与して一致する電話番号を検索することを特徴とする請求項１に記載の通信方法。
【請求項１３】
前記電話番号保持工程により保持されている電話番号リストを編集する編集工程を備えたことを特徴とする請求項１に記載の通信方法。
【請求項１４】
電話番号別の発信回数の頻度情報を保持する頻度情報保持工程と、
前記頻度情報に応じて確認メッセージを出力する確認メッセージ出力工程と
を備えたことを特徴とする請求項１に記載の通信方法。
【請求項１５】
少なくとも１つの電話番号を保持する電話番号保持手段と、
電話番号を入力する電話番号入力手段と、
前記電話番号保持手段により保持する電話番号の中に前記電話番号入力手段により入力された電話番号が存在するか否かを検索する電話番号検索手段と、
前記電話番号検索手段の検索結果を出力する検索結果出力手段と
を備えたことを特徴とする通信装置。
【請求項１６】
発信処理を行う前に前記電話番号検索手段により電話番号の検索を行い、その検索結果を前記検索結果出力手段により出力することを特徴とする請求項１５に記載の通信装置。
【請求項１７】
前記電話番号検索手段は、入力途中の電話番号を用いて前記電話番号保持手段により保持される電話番号リストとの部分マッチを行うことを特徴とする請求項１５に記載の通信装置。
【請求項１８】
前記電話番号検索手段は、前記部分マッチの結果、該当する電話番号が存在するか否かを結果として返すことを特徴とする請求項１７に記載の通信装置。
【請求項１９】
前記電話番号検索手段は、その検索の結果、該当する電話番号が存在する場合に、その番号に対応する名前が登録されている場合は、その名前を検索結果として返すことを特徴とする請求項１５に記載の通信装置。
【請求項２０】
前記電話番号検索手段は、その検索の結果、該当する電話番号が存在しない場合に、存在しない旨を検索結果として返すことを特徴とする請求項１５に記載の通信装置。
【請求項２１】
前記電話番号保持手段は、電話番号に対応する名前も同時に保持できることを特徴とする請求項１５に記載の通信装置。
【請求項２２】
前記検索結果出力手段は、その検索結果として、該当する番号に対応する名前が得られた場合に、その名前をユーザーに出力することを特徴とする請求項１５に記載の通信装置。
【請求項２３】
前記検索結果出力手段は、その検索結果として、該当する番号が存在しなかった場合に、その旨をユーザーに出力することを特徴とする請求項１５に記載の通信装置。
【請求項２４】
前記検索結果出力手段は、その検索結果と共に、発信操作を継続するか否かをユーザーに確認するためのメッセージを出力することを特徴とする請求項１５に記載の通信装置。
【請求項２５】
前記検索結果出力手段による確認メッセージに対するユーザーの入力を受理する確認入力手段を備えたことを特徴とする請求項１５に記載の通信装置。
【請求項２６】
前記電話番号検索手段は、市外局番や携帯電話、またはＰＨＳ（パーソナル・ハンディフォン・システム）の識別番号等を除いて、または付与して一致する電話番号を検索することを特徴とする請求項１５に記載の通信装置。
【請求項２７】
前記電話番号保持手段により保持されている電話番号リストを編集する編集手段を備えたことを特徴とする請求項１５に記載の通信装置。
【請求項２８】
電話番号別の発信回数の頻度情報を保持する頻度情報保持手段と、
前記頻度情報に応じて確認メッセージを出力する確認メッセージ出力手段と
を備えたことを特徴とする請求項１５に記載の通信装置。
【請求項２９】
請求項１乃至１４のいずれかに記載の通信方法を実現するためのコンピュータ読み取り可能なプログラムコードを有することを特徴とするプログラム。
【請求項３０】
請求項１乃至１４のいずれかに記載の通信方法を実現するためのコンピュータ読み取り可能なプログラムコードを保持することを特徴とする記憶媒体。
【発明の詳細な説明】
【技術分野】
【０００１】
本発明は、発信先の電話番号が正しいか否かを確認する電話やＦＡＸ（ファクシミリ）等の通信装置、通信方法、プログラム及び記憶媒体に関する。
【背景技術】
【０００２】
近年、携帯電話やLモード（東日本電信電話株式会社及び西日本電信電話株式会社の登録商標）端末等において、頻繁に電話をかける相手の電話番号と名前の組とを登録することができる電話帳機能が実現されるようになった。
【０００３】
このような電話帳機能を使うと、電話をかけたい相手の名前を電話帳で検索して選択するという操作によって、その相手に電話をかけることが可能である。
【０００４】
また、一度かけた発信先が発信履歴として保存される機能も実現されている。特に、ＦＡＸの発信履歴保存機能では、相手と接続が確立すると、相手の名前がデータとして送信されるものが存在し、これによって、発信履歴として電話番号とその名前を記憶することも可能となっている。
【０００５】
ところが、電話帳に登録していても電話番号を暗記している場合等は、電話帳機能を利用せずに直接電話番号をプッシュすることがある。こうした場合は、電話番号を覚えているという安心感から電話番号の確認を怠たり、その結果、間違った番号にかけてしまう場合も少なくない。
【０００６】
また、従来、着信時に電話番号から名前を検索して出力することができる通信装置も知られている（例えば、特許文献１及び特許文献２参照）。
【０００７】
また、従来、発信後（発呼後）に交換機より向こう側で電話帳を用意しておき、回線が接続されるまでの間に、電話番号から発信先の名前を検索して、発信先の名前を音声合成により受話器に送信するものが提案されている（例えば、特許文献３参照）。
【特許文献１】特許第３０５１８２０号公報
【特許文献２】特開平１１−６８９１２号公報
【特許文献３】特開平１０−８４４１０号公報
【発明の開示】
【発明が解決しようとする課題】
【０００８】
しかしながら、特許文献１や特許文献２は、着信時に誰からかかってきたかを知るためのものであり、間違い電話の防止にはならない。
【０００９】
また、特許文献３は、交換機の向こう側に用意される電話帳は個人毎に用意されるものではなく、システム利用者全員が共有するものであるため、個人個人にとっては、関係のない電話番号も登録されている。よって、応答メッセージを聞いても正しい相手にかけようとしているのか否かを判断することが難しい上、発呼後にメッセージが返ってくるため、迅速に対応しないと回線が接続されてしまう可能性がある。更には、電話帳が共有利用のため、個人的なカスタマイズができないという問題点があった。
【００１０】
そこで、本発明は、電話やＦＡＸ等を発信する前に、発信先を容易に確認することができ、更に、確認対象は個人に関係のある電話番号のみを利用し、また、個人毎にカスタマイズも可能な通信方法、通信装置、プログラム及び記憶媒体を提供することを目的とする。
【課題を解決するための手段】
【００１１】
上記目的を達成するために、本発明の通信方法は、少なくとも１つの電話番号を保持する電話番号保持工程と、ユーザーが電話番号を入力する電話番号入力工程と、前記電話番号保持工程により保持する電話番号の中に前記電話番号入力工程により入力された電話番号が存在するか否かを検索する電話番号検索工程と、前記電話番号検索工程の検索結果を出力する検索結果出力工程とを備えたことを特徴とする。
【００１２】
また、上記目的を達成するために、本発明の通信装置は、少なくとも１つの電話番号を保持する電話番号保持手段と、ユーザーが電話番号を入力する電話番号入力手段と、前記電話番号保持手段により保持する電話番号の中に前記電話番号入力手段により入力された電話番号が存在するか否かを検索する電話番号検索手段と、前記電話番号検索手段の検索結果を出力する検索結果出力手段とを備えたことを特徴とする。
【発明の効果】
【００１３】
本発明によれば、電話帳機能や発信履歴を利用することにより、電話やＦＡＸ等を発信する前に発信先を容易に確認することができ、更に、確認対象は個人に関係のある電話番号のみを利用し、また、個人毎にカスタマイズも可能である。
【発明を実施するための最良の形態】
【００１４】
本発明の通信方法、通信装置、プログラム及び記憶媒体の実施形態について、図面を参照しながら説明する。各実施の形態の通信装置は、電話機に適用される。
【００１５】
［第１の実施形態］
まず、本発明の第１の実施形態を、図１及び図２に基づき説明する。
【００１６】
図１は、本実施の形態に係る通信装置のモジュール構成を示すブロック図である。
【００１７】
図１において、１０１は入力処理部で、ユーザーが電話番号を入力するためのものである。１０２は入力保持部で、ユーザーが入力した電話番号を保持するためのものである。１０３は検索部で、入力処理部１０１から入力された電話番号が後述する電話番号保持部１０４に保持されている複数の電話番号の中に存在するか否かを検索するためのものである。１０４は電話番号保持部で、ユーザーが予め登録した電話番号と名前の組とを保持するためのものである。また、電話番号保持部１０４は、これまでに発信した発信先の電話番号リストを保持するためのものである。また、電話番号保持部１０４は、電話番号の他に発信先の名前を同時に保持する。１０５は検索結果保持部で、検索部１０４により検索した結果を保持するためのものである。１０６は出力部で、検索結果保持部１０５により保持される検索結果をユーザーに出力するためのものである。出力部１０６の出力形態は、ディスプレイ表示、音声合成、メロディ音、アラート音、振動等、いかなるものでも良い。１０７は確認入力処理部で、ユーザーが出力部１０６の出力を受けて発信を継続するか否かを入力するためのものである。１０８は発信処理部で、確認入力処理部１０７によって入力された結果が発信を意図するものである場合に発信を行うためのものである。
【００１８】
次に、本実施の形態に係る通信装置の処理動作を、図２を用いて説明する。
【００１９】
図２は、本実施の形態に係る通信装置の処理動作の流れを示すフローチャートである。
【００２０】
まず、ステップＳ２０１では、ユーザーにより電話番号が入力されたか否かを、入力されるまで判断する。そして、入力処理部１０１がユーザーによる電話番号の入力を受理し、その入力された電話番号を入力保持部１０２に保持して、次のステップＳ２０２に移る。
【００２１】
ステップＳ２０２では、電話番号保持部１０４に保持されている電話番号のリスト中に入力保持部１０２が保持する電話番号が存在するか否かを検索部１０３が検索し、その検索結果を検索結果保持部１０５に保持して、次のステップＳ２０３に移る。該当する電話番号が存在する場合は、該当する旨を示す情報と、更にその電話番号に対応する名前が存在する場合は名前とを、検索結果として保持する。一方、該当する電話番号が存在しなかった場合は、存在しなかった旨を示す情報を検索結果として保持する。
【００２２】
ステップＳ２０３では、出力部１０６が検索結果をユーザーに出力する。該当する電話番号が存在する場合は、必要であれば電話番号、または名前を使ったメッセージを音声合成により出力し、次のステップＳ２０４に移る。一方、該当する電話番号が存在しなかった場合は、存在しなかった旨のメッセージを音声合成で出力し、次のステップＳ２０４に移る。いずれの場合にも、出力部１０６は、検索結果の出力に引き続いて、このまま発信操作を継続するか否かをユーザーに確認するためのメッセージを音声合成により出力する。
【００２３】
ステップＳ２０４では、確認入力処理部１０７が、このまま発信操作を継続するか否かに関するユーザーの入力を受理し、発信する場合は、次のステップＳ２０５に移る。また、発信しない場合は、本処理動作を終了する。
【００２４】
ステップＳ２０５では、発信処理部１０８が発信、即ち、通常の電話やＦＡＸの発信を行い、その後、本処理動作を終了する。
【００２５】
以下に、該当する電話番号が存在した場合の音声合成用の文面の一例を示す。
【００２６】
「小泉 太郎 さんにおつなぎします。よろしいですか？」
「電話帳に登録の０９０１２３４５６７にかけようとしています。よろしいですか？」
「過去にかけたことのある番号に発信しようとしています。よろしいですか？」
以下に、該当する電話番号が存在しなかった場合の音声合成用の文面の一例を示す。
【００２７】
「この番号はこれまでに登録されていません。このまま発信してもよろしいですか？」
「押し間違いの可能性があります。このまま発信してもよろしいですか？」
「未登録の番号０９０１２３４５６７にかけようとしています。よろしいですか？」
次に、本発明の第２の実施形態を図３に基づき説明する。
【００２８】
なお、本実施の形態に係る通信装置の基本的な構成は、上述した第１の実施形態における図１と同一であるから、同図を流用して説明する。
【００２９】
上述した第１の実施形態では、電話番号の入力が完了した後に検索部１０３が電話番号保持部１０４の検索を行う場合について説明したが、本発明は、これに限定されるものではなく、電話番号の入力中に検索を行っても良いものとする。
【００３０】
本実施の形態では、電話番号が１文字ずつ入力される毎に検索を行う場合について説明する。また、入力中の電話番号が電話番号保持部１０４に存在する可能性がない場合にのみ検索結果を出力することとし、検索結果の出力は、一度しか行わない場合について説明する。言うまでもないことであるが、入力毎に検索結果を出力しても良いし、該当する番号が存在する可能性がある場合にも検索結果を出力しても良い。
【００３１】
以下、本実施の形態に係る通信装置の処理動作について、図３を用いて説明する。
【００３２】
図３は、本実施の形態に係る通信装置の処理動作の流れを示すフローチャートである。
【００３３】
まず、ステップＳ３０１では、電話番号が１文字入力されたか否かを、入力されるまで繰り返す。入力処理部１０１が入力された電話番号１文字分を入力保持部１０２に保持して、次のステップＳ３０２に移る。入力保持部１０２は、入力処理部１０１から受け取った電話番号１文字を、これまでに受け取った電話番号の文字列と併せて保持する。
【００３４】
ステップＳ３０２では、出力部１０６による検索結果の出力が既に行われている否かを判断する。そして、出力部１０６による検索結果の出力が既に行われている場合は、ステップＳ３０７に移る。また、検索結果の出力がまだ行われていない場合は、ステップＳ３０３に移る。
【００３５】
ステップＳ３０３では、検索処理部１０３が、入力保持部１０２が保持する電話番号の入力済み部分を使って、電話番号保持部１０４が保持する電話番号リストとの部分マッチ検索を行い、その検索結果を検索結果保持部１０５に保持した後、次のステップＳ３０４に移る。検索結果保持部１０５には、該当する番号が存在する可能性があるか否かの情報が保持される。
【００３６】
ステップＳ３０４では、該当する電話番号が存在する可能性があるか否かを判断する。そして、該当する電話番号が存在する可能性がある場合は、ステップＳ３０７に移る。また、該当する電話番号が存在する可能性がない場合は、ステップＳ３０５に移る。
【００３７】
ステップＳ３０５では、該当する電話番号が存在しない旨を出力部１０６が出力し、次のステップＳ３０６に移る。
【００３８】
ステップＳ３０６では、確認入力処理部１０７が、該当する電話番号が存在しないにも拘らず入力を継続するか否かの入力をユーザーから確認し、入力を継続する場合は、次のステップＳ３０７に移る。前記入力を継続するか否かの判断には、確認ボタンが押されたことを検知しても良いし、番号ボタン（テンキー）が押されたことをもって継続するものとみなしても良い。入力を継続しない場合は、本処理動作を終了する。
【００３９】
ステップＳ３０７では、電話番号の入力が完了した場合は、次のステップＳ３０８に移る。また、入力が完了していない場合は、前記ステップＳ３０１に戻る。入力が完了したか否かの判断には、発信ボタンが押されたことを検知しても良いし、番号ボタン（テンキー）が押されるまでに一定以上の時間が経過したことを計測する等しても良い。
【００４０】
ステップＳ３０８では、発信処理部１０８が発信を行い、その後、本処理動作を終了する。
【００４１】
［第３の実施形態］
上述した第１の実施形態では、該当する電話番号が電話番号保持部１０４に存在する場合、しない場合のいずれも、メッセージを出力するようにした場合を例示して説明したが、本発明は、これに限定されるものではなく、例えば、該当する電話番号が存在する場合にだけ「ＸＸさんにおつなぎします。」等のメッセージを出力するようにしても良い。また、逆に、該当する電話番号が存在しない場合にだけ、「番号を押し間違えた可能性があります。よろしいですか。」等のメッセージを出力するようにしても良い。
【００４２】
［第４の実施形態］
上述した第１の実施形態及び第２の実施形態では、発信の確認を行う場合について説明したが、本発明は、これに限定されるものではなく、検索結果の出力と並行して発信する場合も良い。この場合は、確認入力処理部１０７は必要としない。ユーザーは、押し間違いと判断した時点で、回線が接続されるまでの間に発信を中止すれば良い。
【００４３】
［第５の実施形態］
上述した第１の実施形態では、出力の形態として音声合成を用いる場合について説明したが、本発明は、これに限定されるものではなく、任意の出力形態を使って出力しても良い。出力形態の一例としては、ディスプレイに電話番号や名前を出力するようにしても良い。更には、振動、アラート音、メロディ音等を使っても良い。例えば、該当する番号が存在しなかった場合にはアラート音を鳴らし、存在する場合にはメロディ音を鳴らすという方法も有り得る。また、該当する番号が存在しなかった場合にディスプレイの色を変化させたり、表示を点滅させる等も有効な手法である。
【００４４】
［第６の実施形態］
上述した第１の実施形態では、電話番号保持部１０４に電話帳と発信履歴の両方を利用する場合について説明したが、本発明は、これに限定されるものではなく、いずれかのみを利用する場合でも良い。
【００４５】
［第７の実施形態］
上述した第１の実施形態では、入力保持部１０２が保持する電話番号と完全に一致する番号が存在するか否かを検索する場合について説明したが、本発明は、これに限定されるものではなく、電話番号保持部１０４が保持する電話番号のうち、市外局番部分を除いて検索する場合でも良い。これは、固定電話から市内電話をかける場合は、市外局番を付けて付けなくても良いことに対応するための有効な方法となる。
【００４６】
更に、市外局番無しの電話番号が入力され、電話番号保持部１０４にその地域とは異なる市外局番であるが同一の電話番号が存在する場合は、「市外局番０４４をお忘れではありませんか？」等のメッセージを出力するようにしても良い。
【００４７】
また、携帯電話とＰＨＳ（パーソナル・ハンディフォン・システム）の識別番号を間違える場合にも対処するために、識別番号を除いた番号同士で比較して番号が一致する場合は、「ＰＨＳ０７０の間違いではありませんか？」等のメッセージを出力しても良い。
【００４８】
［第８の実施形態］
上述した第１の実施形態では、発信履歴を利用する場合について説明したが、一度かけ間違えた番号が発信履歴として残ってしまうと、誤りチェック機能としての役割を十分に果たせなくなってしまう。よって、電話番号保持部１０４に保持されている電話番号をリストから削除できることが望ましい。また、過去に発信した頻度に応じて、頻度が一定値を超えた時点で電話番号保持部１０４に登録されても良い。別の方法として、頻度が少ない電話番号にかける場合に確認メッセージを出力するようにしても良い。
【００４９】
［その他の実施の形態］
以上が本発明の実施形態の説明であるが、本発明は、これら実施の形態に限られるものではなく、特許請求の範囲で示した機能、または実施の形態の構成が持つ機能を達成できる構成であれば、どのようなものであっても適用可能である。
【００５０】
また、本発明は、複数の機器から構成されるシステムに適用しても良いし、１つの機器からなる装置に適用しても良い。
【００５１】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。この場合、記憶媒体から読み出されたプログラムコード自体が本発明の新規な機能を実現することになり、そのプログラムコードを記憶した記憶媒体及びプログラムは本発明を構成することになる。
【００５２】
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５３】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれることは言うまでもない。
【００５４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【００５５】
なお、本発明は、複数の機器から構成されるシステムに適用しても、１つの機器からなる装置に適用しても良い。前述した実施の形態の機能を実現するソフトウエアのプログラムコードをネットワーク等を介してダウンロードして実行したり、プログラムコードを記録した記録媒体をシステム或いは装置に供給し、そのシステム或いは装置のコンピュータ（または、CPUやMPU）が記録媒体に格納されたプログラムコードを読み出し実行することによっても、達成されることは言うまでもない。
【００５６】
この場合、記録媒体から読み出されたプログラムコード自体が前述した実施の形態の機能を実現することになり、そのプログラムコードを記録した記憶媒体は本発明を構成することになる。
【図面の簡単な説明】
【００５７】
【図１】本発明の第１の実施形態に係る通信装置のモジュール構成を示すブロック図である。
【図２】本発明の第１の実施形態に係る通信装置の処理動作の流れを示すフローチャートである。
【図３】本発明の第２の実施形態に係る通信装置の処理動作の流れを示すフローチャートである。
【符号の説明】
【００５８】
１０１  入力処理部
１０２  入力保持部
１０３  検索部
１０４  電話番号保持部
１０５  検索結果保持部
１０６  出力部
１０７  確認入力処理部
１０８  発信処理部
【図１】
2005123718.tif 000003
【図２】
2005123718.tif 000004
【図３】
2005123718.tif 000005